(57)【特許請求の範囲】
【請求項１】
薄型の筐体の前面に画像表示手段を備え、少なくとも画像情報を記録／再生する記録再生手段とビデオカメラ一体型記録再生装置の統括制御を行うシステムコントローラとを備えた装置主体部と、該装置主体部の一方の側面に配置されるビデオカメラ部と、前記装置主体部と前記ビデオカメラ部とを回転可能に連結する回転軸部とを備えたビデオカメラ一体型記録再生装置において、
前記ビデオカメラ部の回転を規制する第１の位置と、前記回転の規制を解除する第２の位置とをとり得るように前記装置主体部にスライド可能に取り付けられるカバー体と、前記カバー体の前記第１の位置と前記第２の位置とを検出する位置検出手段を設け、
前記カバー体は、前記第１の位置では前記ビデオカメラ部に設けられる撮影レンズを覆い、前記第２の位置では前記撮影レンズを開放し、
前記画像表示手段は、前記カバー体のスライド移動の如何にかかわらず常時露出して設けられ、
前記システムコントローラは、前記第１の位置では再生モードに設定し、前記第２の位置では撮影モードに設定する
ことを特徴とするビデオカメラ一体型記録再生装置。
【請求項２】
請求項１記載のビデオカメラ一体型記録再生装置において、
該ビデオカメラ一体型記録再生装置の電源をＯＮ、ＯＦＦ操作する電源スイッチを設け、前記電源スイッチがＯＦＦの状態で、前記カバー体が前記第１の位置から前記第２の位置に移行したことを前記位置検出手段が検出すると、前記システムコントローラは、電源をＯＮさせると共に、前記撮影モードに移行させる
ことを特徴とするビデオカメラ一体型記録再生装置。
【請求項３】
請求項１記載のビデオカメラ一体型記録再生装置において、
前記装置主体部は、撮影操作用の操作ボタン群を備え、
前記カバー体は、前記第１の位置では前記撮影レンズと前記撮影操作用の操作ボタン群を覆い、前記第２の位置では前記撮影レンズと前記撮影操作用の操作ボタン群を開放する
ことを特徴とするカメラ一体型記録再生装置。
【請求項４】
請求項３記載のビデオカメラ一体型記録再生装置において、
前記カバー体は、再生操作用の操作ボタンヘッド群を備え、
前記再生操作用の操作ボタンヘッド群は、前記カバー体が前記第１の位置にある際には、該再生操作用の操作ボタンヘッド群の下側に前記撮影操作用の操作ボタン群が位置するように設けられ、
前記システムコントローラは、前記再生操作用の操作ボタンヘッド群の各操作ボタンヘッドによって前記撮影操作用の操作ボタンが操作されると、前記再生操作用の操作ボタンヘッド群の各操作ボタンヘッドに割り当てられた動作を実行し、
前記カバー体が前記第１の位置から前記第２の位置へ移行し、前記撮影操作用の操作ボタン群の各操作ボタンが直接操作されると、前記撮影操作用の操作ボタン群の各操作ボタンに割り当てられた動作を実行する
ことを特徴とするカメラ一体型記録再生装置。
【請求項５】
請求項４記載のビデオカメラ一体型記録再生装置において、
前記撮影操作用の操作ボタン群は、前記画像表示手段に隣接して設けられ、
前記システムコントローラは、前記撮影操作用の操作ボタン群または前記再生操作用の操作ボタンヘッド群に対応した機能表示を、前記画像表示手段上に表示する
ことを特徴とするカメラ一体型記録再生装置。
【請求項６】
請求項５記載のビデオカメラ一体型記録再生装置において、
前記機能表示は、所定の操作ボタンを操作した際に所定秒時だけ表示される
ことを特徴とするカメラ一体型記録再生装置。
【請求項７】
請求項１記載のビデオカメラ一体型記録再生装置において、
前記カバー体が前記第１の位置から前記第２の位置へ移行することにより、装置全体が前記カバー体の移動方向に所定量延長されて、前記ビデオカメラ一体型記録再生装置をグリップするためのグリップ用領域が拡張される
ことを特徴とするカメラ一体型記録再生装置。
【請求項８】
請求項１から７記載の何れか１つのビデオカメラ一体型記録再生装置において、
前記ビデオカメラ部の前記撮影レンズの光軸は、前記ビデオカメラ部の長手方向と直交する
ことを特徴とするカメラ一体型記録再生装置。
【請求項９】
請求項１から７記載の何れか１つのビデオカメラ一体型記録再生装置において、
前記ビデオカメラ部の前記撮影レンズの光軸は、前記ビデオカメラ部の長手方向と平行である
ことを特徴とするカメラ一体型記録再生装置。
【発明の詳細な説明】
【０００１】
【発明の属する技術分野】
本発明はビデオカメラ一体型記録再生装置に係り、特に、映像や音声等を記録する記録媒体として、半導体メモリ、もしくは光ディスク，光磁気ディスク，ハードディスク（磁気ディスク）等のディスク状記録媒体を用い、撮影時には電子ビューファインダーとして機能し、再生時にはモニターとして機能する液晶ディスプレイを備えたビデオカメラ一体型記録再生装置に関するものである。
【０００２】
【従来の技術】
映像や音声等を記録する記録媒体として、半導体メモリや小型のディスク状記録媒体を用いると、現在普及している家庭用のカメラ一体型ＶＴＲに比べると、格段に小型・軽量で、ポケッタブルサイズのビデオカメラ一体型記録再生装置が実現できる。
【０００３】
斯るポケッタブルサイズのビデオカメラ一体型記録再生装置を実現するにあたり、ビデオカメラ部の撮影レンズを保護するために、ビデオカメラ一体型記録再生装置を収納するためのケースを別途設けると、ケースからの出し入れが面倒であるばかりか、携行時に嵩張り、また、ビデオカメラ一体型記録再生装置を使用している際には、ケースを別途保持しなければならず、ケースの存在が邪魔になる。
【０００４】
一方、塩銀フィルムを用いるスチルカメラの分野では、カメラ本体に、撮影レンズを覆う位置とこれを開放する位置との間をスライドするスライドカバーを設け、スライドカバーが撮影レンズを覆う位置からこれを開放する位置に移行すると、カメラに撮影待機状態をとらせるようにしたものが知られている。
【０００５】
【発明が解決しようとする課題】
上記したようなスライドカバーを具備したフィルム式スチルカメラ（コンパクト型のスチルカメラ）においては、撮影レンズを保護するためのスライドカバーがカメラ本体と一体化されているため、嵩張らず携行に便利で、また、スライドカバーのスライド操作で、カメラがスタンバイ状態となるので使い勝手がよい。
【０００６】
しかしながら、フィルム式スチルカメラは撮影動作のみを行うものであって、ビデオカメラ一体型記録再生装置のように再生動作を要求されるものではないので、撮影と再生を切り換える必要がなく、また、このようなコンパクト型のスチルカメラは操作ボタンの数も比較的に少なく、その配置も容易で、ボタン種類（ボタン機能）を取り違える虞も少ない。
【０００７】
これに対して、ビデオカメラ一体型記録再生装置では、撮影と再生を切り換える必要があり、また、撮影用と再生用に操作ボタンを必要とするので、操作ボタンの数が増して、装置のコンパクト化と操作ボタンの配置スペースの確保とが、相反するネックポイントとなる。一方、撮影と再生にボタンを共用することも考えられるが、こうするとユーザにとってボタン機能の把握が難しく、ボタン操作を取り違え易いという問題を生じる。
【０００８】
本発明は上記の点に鑑みなされたもので、その目的とするところは、撮影レンズを覆う位置とこれを開放する位置との間をスライドするカバー体を具備した構成をとるビデオカメラ一体型記録再生装置において、上記カバー体のスライド動作を積極的に利用して、撮影用モードへの移行や、撮影用操作ボタンと再生用ボタンの切り換えが自動的に行え、かつ、コンパクト化および操作ミスの削減につながる操作ボタン配置をもつ、使い勝手のよいビデオカメラ一体型記録再生装置を提供することにある。
【０００９】
【課題を解決するための手段】
本発明は前記目的を達成するため、
薄型の筐体の前面に画像表示手段を備え、少なくとも画像情報を記録／再生する記録再生手段とビデオカメラ一体型記録再生装置の統括制御を行うシステムコントローラとを備えた装置主体部と、該装置主体部の一方の側面に配置されるビデオカメラ部と、前記装置主体部と前記ビデオカメラ部とを回転可能に連結する回転軸部とを備えたビデオカメラ一体型記録再生装置において、
前記ビデオカメラ部の回転を規制する第１の位置と、前記回転の規制を解除する第２の位置とをとり得るように前記装置主体部にスライド可能に取り付けられるカバー体と、前記カバー体の前記第１の位置と前記第２の位置とを検出する位置検出手段を設け、
前記カバー体は、前記第１の位置では前記ビデオカメラ部に設けられる撮影レンズを覆い、前記第２の位置では前記撮影レンズを開放し、
前記画像表示手段は、前記カバー体のスライド移動の如何にかかわらず常時露出して設けられ、
前記システムコントローラは、前記第１の位置では再生モードに設定し、前記第２の位置では撮影モードに設定する、ように構成される。
【００１０】
【発明の実施の形態】
以下、本発明の実施の形態を説明する。
図１〜図１０は本発明の第１実施形態に係り、図１はカバー体を押し込んだ状態のビデオカメラ一体型記録再生装置の正面側から見た斜視図、図２はカバー体を押し込んだ状態のビデオカメラ一体型記録再生装置の背面側から見た斜視図、図３はカバー体を押し込んだ状態のビデオカメラ一体型記録再生装置の底面側から見た斜視図、図４はカバー体を押し込んだ状態のビデオカメラ一体型記録再生装置の断平面図、図５はカバー体を引き出した状態のビデオカメラ一体型記録再生装置の正面側から見た斜視図、図６はカバー体を引き出した状態のビデオカメラ一体型記録再生装置の背面側から見た斜視図、図７はビデオカメラ一体型記録再生装置におけるビデオカメラ部の回動の様子を示す説明図、図８はビデオカメラ一体型記録再生装置の機能ブロック図、図９は撮影時の片手ホールドの状態をカバー体のないものとして対比して示す説明図、図１０はビデオカメラ一体型記録再生装置をポケットに収納している様子を示す説明図である。
【００１１】
ここで、本発明の各実施形態においては、ビデオカメラ一体型記録再生装置の装置本体に設けた液晶ディスプレイよりなる画像表示手段側を正面と称している。また、カバー体を押し込んだ状態とは、カバー体がビデオカメラ部の撮影レンズを覆う位置をとった状態を指し、カバー体を引き出した状態とは、カバー体がビデオカメラ部の撮影レンズを開放する位置をとった状態を指している。
【００１２】
図１〜図６において、１はビデオカメラ一体型記録再生装置の装置本体、２は装置本体１に回動可能に取り付けられたビデオカメラ部、３は装置本体１に所定量スライド可能であるように取り付けられたカバー体である。
【００１３】
図６に示すように、ビデオカメラ部２の背面側には、撮影レンズ４とマイク５とが設けられており、カバー体３を押し込んだ状態では、図２，４に示すように、カバー体３の背面部の先端側がビデオカメラ部２の背面側の全面を覆っており、これによって撮影レンズ４が保護されるようになっている。また、カバー体３を引き出した状態では、図６に示すように、撮影レンズ４とマイク５が露呈するようになっている。
【００１４】
そして、カバー体３を引き出した状態では、カバー体３による回転規制が解除され、ビデオカメラ部２は図７に示すように、支軸６を回転中心として装置本体１対して所定角度回動可能なように構成されている。本実施形態では、撮影レンズの光軸７は、ビデオカメラ部２の長手方向と直交しており、ビデオカメラ部２を回転させることにより、撮影時に光軸７を上下に振って所望のアングルを得られるようになっている。
【００１５】
本発明の各実施形態では、カバー体３の上記した押し込み状態および引き出し状態は、例えば簡易なリミットスイッチ等よりなる位置検出手段（後記する図８の位置センサ２７）によって検出されるようにされており、カバー体３が押し込み位置にあるか、引き出し位置にあるのかを、装置本体１内に内蔵された後記するシステムコントローラ２５が認知するようになっている。
【００１６】
図５，６に示すように、装置本体１の上面には、スピーカ８と、電源スイッチ９と、録画ボタン１０とが配設されており、カバー体３を押し込んだ状態では、図１，図２に示すように、録画ボタン１０はカバー体３の上面部によって覆い隠されるようになっている。
【００１７】
図５に示すように、装置本体１の正面には、液晶ディスプレイよりなる画像表示手段１１と、該画像表示手段１１に隣接して撮影操作用のボタン群（ズーム操作ボタン１２，１３と、日付挿入モード設定ボタン１４と、録画モード設定ボタン１５で、それぞれ押ボタンスイッチからなる）とが配設されている。画像表示手段１１は、カバー体３のスライド位置の如何にかかわらず常に露呈しており、撮影時には電子ビューファインダーとして機能し、再生時にはモニターとして機能する。また、図１，３，４に示すように、カバー体３を押し込んだ状態では、上記のボタン１２〜１５はカバー体３の正面部によって覆い隠されるようになっている。
【００１８】
ここで、上記ズーム操作ボタン１２は望遠操作用とされ、ズーム操作ボタン１２は広角操作用とされている。また、日付・時刻挿入モード設定ボタン１４は、録画する映像に日付・時刻を自動挿入するか否かを設定するために用いられる。録画モード設定ボタン１５は、静止画録画モードと、動画録画モード（音声録音を含む）と、静止画の連写録画モードと、音声のみの録音モードとの択一選択・設定に用いられる。
【００１９】
また、図１，３，５に示すように、カバー体３の正面部の左側には、再生操作用の操作ボタンヘッド群（再生ボタンヘッド１６と、早送りサーチボタンヘッド１７と、逆送りサーチボタンヘッド１８と、停止ボタンヘッド１９）が設けられている。これらのボタンヘッド１６〜１９は、前記のボタン１２〜１５と異なって押ボタンスイッチの機能を持っておらず、押ボタンスイッチのキートップの機能のみを持つものとなっており、図４に示すようにカバー体３を押し込んだ状態では、各ボタンヘッド１６〜１９は、装置本体１に設けた前記各ボタン１２〜１５と重なり合うようになっている。そして、カバー体３を押し込んだ状態では、各ボタンヘッド１６〜１９をプッシュすることにより、各ボタンヘッド１６〜１９の下側（裏側）に対応して位置付けられた各ボタン１２〜１５がプッシュ操作されるようになっている。
【００２０】
なお、図３に示すように、装置本体１の底面には、外部接続用の入出力端子部２０が設けられている。また、図４において、２１は画像／音声を記録するメモリ手段、２２はバッテリー、２３は回路基板である。ここで、上記のメモリ手段２１は、半導体メモリ、もしくは光ディスク，光磁気ディスク，ハードディスク（磁気ディスク）等のディスク状記録媒体からなり、メモリ手段２１がディスク状記録媒体である場合にはそのドライブ装置も含まれるものとする。
【００２１】
次に、図８を用いて本実施形態のビデオカメラ一体型記録再生装置の機能ブロックについて説明する。ここで同図において、２，５，８，１１，２１はそれぞれ前記したビデオカメラ部，マイク，スピーカ，画像表示手段，メモリ手段であり、２０ａ，２０ｂはそれぞれ前記した入出力端子部２０の一部をなす外部入力端子および外部出力端子である。
【００２２】
図８において、２４は入力系画像／音声統合処理部で、ビデオカメラ部１，マイク５，外部入力端子２０ａから入力された画像データや音声データを、システムコントローラ２５からの指令に基づき適宜に処理し、出力する。２５はマイコンを主体として構成されるシステムコントローラで、ビデオカメラ一体型記録再生装置全体の統括制御を司る。２６は出力系画像／音声統合処理部で、メモリ手段２１や入力系画像／音声統合処理部２４から力された画像データや音声データを、システムコントローラ２５からの指令に基づき適宜に処理し、画像表示手段１１，スピーカ８，外部出力端子２０ｂに出力する。２７はカバー体３のスライド位置を検出する位置センサで、カバー体３が押し込み位置にあるか、引き出し位置にあるのかを検知して、この検出情報をシステムコントローラ２５に通知する。２８は電源制御部で、システムコントローラ２５からの指令もしくは前記した電源スイッチ９の操作によって、ビデオカメラ一体型記録再生装置（システム）の主電源をオン／オフ制御する。２９は入力操作部で、前記した電源スイッチ９や各種操作ボタン群を統括して示したものである。
【００２３】
上述した構成をとる本実施形態を含む本発明の各実施形態では、カバー体３を押し込んだ状態は、未使用状態または再生状態の何れかであり、カバー体３が押し込み位置にあり、かつ、電源スイッチ９がオフされているときには、システムの主電源はオフされていて未使用状態にある。このとき、カバー体３が押し込められているので、ビデオカメラ一体型記録再生装置はコンパクトに小型化されており、また、撮影レンズ４がカバー体３で保護されているので、撮影レンズ４が傷つく虞もないので、例えば図１０に示すように、ポケットに収納して手軽に携行することが可能となり、携帯性に優れたものとなる。
【００２４】
また、上記した未使用状態から、マニュアル操作で電源スイッチ９がオンされと、電源制御部２８によってシステムの主電源がオンされ、また、位置センサ２７からの検出情報でカバー体３が押し込み位置にあることを認知したシステムコントローラ２５は、システムを再生スタンバイ状態におくようになっている。そしてこのとき、前記した４つの操作ボタン１２〜１５を、その上に重なった対応する前記操作ボタンヘッド１６〜１９に見合った機能の操作ボタンと見做し、再生ボタンヘッド１６を介してズーム操作ボタン１２が押されると、再生指示の入力と認知し、早送りサーチボタンヘッド１７を介してズーム操作ボタン１３が押されると、早送りサーチ指示の入力と認知し、逆送りサーチボタンヘッド１８を介して日付挿入モード設定ボタン１４が押されると、逆送りサーチ指示の入力と認知し、停止ボタンヘッド１９を介して録画モード設定ボタン１５が押されると、停止指示の入力と認知するようになっている。
【００２５】
上記した再生モード時には、上述したように、録画ボタン１０や撮影用の操作ボタン１２〜１５はカバー体３によって隠されて、再生用の操作ボタンヘッド１６〜１９のみが露呈することになる。つまり、撮影用の操作ボタン（押ボタンスイッチ）１２〜１５を再生用の操作ボタンに兼用しても、再生モード時にはユーザは操作ボタンヘッド１６〜１９のみを視認することになり、例えば操作ボタンヘッド近傍の機能表示等によって、ユーザはまごつくことなく再生操作を行うことができる。また、押ボタンスイッチの数が削減できるので、装置本体１を小型化しても、充分に押ボタンスイッチ（操作ボタン）の配置スペースを確保することができる。
【００２６】
また、前記した未使用状態からカバー体３が引き出し位置に移行すると（ユーザによってカバー体３が引き出されると）、位置センサ２７からの検出情報でこれを認知したシステムコントローラ２５は、電源制御部２８に指示してシステムの主電源をオンさせると共に、システムを撮影モードにおくようになっている。また、この状態からカバー体３が押し込み位置に移行すると（ユーザによってカバー体３が押し込められると）、位置センサ２７からの検出情報でこれを認知したシステムコントローラ２５は、電源制御部２８に指示してシステムの主電源をオフさせ、前記した未使用状態に遷移するようになっている。なお本実施形態では、カバー体３の引き出しを検知したシステムコントローラ２５からの指示で、電源をオンさせるようにしているが、位置センサ２７に電源スイッチの機能を持たせ、カバー体３が引き出し位置（引き出し限界位置）に至ると、位置センサ２７（電源スイッチ）からの指示で直接電源をオンさせ、カバー体３が引き出し位置（引き出し限界位置）から離れると、位置センサ２７（電源スイッチ）からの指示で直接電源をオフさせるようにしても差し支えない。
【００２７】
上記したように撮影モードへの遷移は、前記撮影レンズ４を露呈させるためのカバー体３の引き出し動作のみで行えるので、至って操作性がよいものとなる。また、この撮影モード時には、上述したように再生モードでは隠れていた録画ボタン１０や撮影用の操作ボタン１２〜１５が露呈するので、ユーザはカバー体３の引き出しで現われたこれらのボタン群を、撮影用の操作ボタンとして容易に認知することができ、例えば操作ボタン近傍の機能表示等によって、ユーザはまごつくことなく撮影操作を行うことができる。またこの際、操作ボタンヘッド１６〜１９が誤って押されても、操作信号が入力される虞は一切ない。
【００２８】
また、撮影モードにはカバー体３が引き出されているので、カバー体３の引き出しストローク分だけビデオカメラ一体型記録再生装置の全長が延長されることになる。したがって、引き出されたカバー体３によって、装置を手でグリップする際に用いるグリップ用領域を拡張することができ、装置を右手のみによって片手ホールドするときのグリップ性（ホールド性）を向上させることができる。
【００２９】
図９の（ａ）は、カバー体３がないと想定したときのビデオカメラ一体型記録再生装置の右手ホールドの状態を示しており、親指が画像表示手段１１にかかって電子ビューファインダー画面が見づらいものとなっている。これに対して図９の（ｂ）に示すように、本実施形態では、引き出されたカバー体３によって右手ホールドのためのグリップ用領域が確保されているので、親指が画像表示手段１１にかかることなく、かつ確実に装置をホールドすることができる。しかも、親指の先端に操作ボタン１２〜１５が位置しているので、ボタンの操作性も良好なものとなる。
【００３０】
図１１は、本発明の第２実施形態に係るビデオカメラ一体型記録再生装置における、カバー体を引き出した状態のビデオカメラ部の背面図である。同図において、先に説明した実施形態と均等なものには同一符号を付してある（なおこれは、以下の各実施形態においても同様である）。
【００３１】
本実施形態が前記第１実施形態と異なるのは、カメラ部２の背面側にフラッシュ手段３０を付加した点にあり、フラッシュ手段３０は撮影レンズ４の上側に配設される。本実施形態では、暗がりや逆光時にも静止画を良好に撮影することが可能となる。
【００３２】
図１２および図１３は本発明の第３実施形態に係り、図１２はカバー体を押し込んだ状態のビデオカメラ一体型記録再生装置の正面図、図１３はカバー体を引き出した状態のビデオカメラ一体型記録再生装置の正面図である。
【００３３】
本実施形態が前記第１実施形態と異なるのは、前記撮影操作用のボタン群（操作ボタン１２〜１５）または前記再生操作用のボタンヘッド群（操作ボタンヘッド１６〜１９）に対応した機能表示が、前記画像表示手段１１上に表示されるようにした点にあり、図１２，１３において、３１は機能表示の呼び出し／消去を指示するためのメニューボタンである。
【００３４】
図１２は再生時の状態を示しており、画像表示手段１１上には、前記メモリ手段２１から読み出した再生画像が表示されている。この再生時において、メニューボタン３１をプッシュすると、前記再生操作用の各ボタンヘッド（操作ボタンヘッド１６〜１９）とそれぞれ対応するように、画像表示手段１１の表示画面の右側に、「再生」，「早送りサーチ」，「逆送りサーチ」，「停止」をシンボルで示す機能表示３２が淡く表示されるようになっている。
【００３５】
また、図１３は撮影時の状態を示しており、画像表示手段１１上には、前記ビデオカメラ部２で撮影中の画像が表示されている。この撮影時において、メニューボタン３１をプッシュすると、前記撮影操作用の各ボタン（操作ボタン１２〜１５）とそれぞれ対応するように、画像表示手段１１の表示画面の右側に、「ズーム（望遠）」，「ズーム（広角）」，「日付・時刻」，「現在設定されている録画モード」（ここでは、例えば連写録画モード）を、文字やシンボルで示す機能表示３２が淡く表示されるようになっている。
【００３６】
上記の撮影時における機能表示３２は、電子ビューファインダーとしての画像表示手段１１上にのみ表示され、前記メモリ手段２１に記録されることはないようにされていることは、言うまでもない。なお、本実施形態では、機能表示３２の呼び出しと消去をメニューボタン３１で指示するようにしているが、メニューボタン３１で呼び出した機能表示３２を所定秒時だけ表示して、所定秒時後に自動的に消えるようにしても差し支えない。
【００３７】
斯様な構成をとる本実施形態においては、画像表示手段１１上の機能表示３２によって、撮影操作用のボタン群（操作ボタン１２〜１５）または再生操作用のボタンヘッド群（操作ボタンヘッド１６〜１９）の機能が一目で認知できるので、より一層誤操作の虞がなくなり、使い勝手のよいビデオカメラ一体型記録再生装置を実現できる。
【００３８】
図１４〜図１９は本発明の第４実施形態に係り、図１４はカバー体を押し込んだ状態のビデオカメラ一体型記録再生装置の正面側から見た斜視図、図１５はカバー体を押し込んだ状態のビデオカメラ一体型記録再生装置の背面側から見た斜視図、図１６はカバー体を引き出した状態のビデオカメラ一体型記録再生装置の正面側から見た斜視図、図１７はカバー体を引き出した状態のビデオカメラ一体型記録再生装置の背面側から見た斜視図、図１８はカバー体を押し込んだ状態と引き出した状態を対比して示すビデオカメラ一体型記録再生装置の平面図、図１９はビデオカメラ一体型記録再生装置におけるビデオカメラ部の回動の様子を示す説明図である。
【００３９】
本実施形態が前記第１実施形態と異なるのは、ビデオカメラ部２の撮影レンズ４の光軸７を、ビデオカメラ部２の長手方向と平行なものとし、これに伴ってカバー体３の形状および装置本体１の上面の部材の配置を変更した点にある。
【００４０】
図１６，１７に示すように、本実施形態のビデオカメラ部２においては、その光軸７がビデオカメラ部２の長手方向に沿うように撮影レンズ４を配置してあり、マイク５もレンズ開口部の近傍に位置するように、ビデオカメラ部２の長手方向の端部に設けてある。
【００４１】
本実施形態のビデオカメラ部２も、カバー体３を引き出して該カバー体３による回転規制が解除された状態では、回動可能なようになっており、図１９に示すように、ビデオカメラ部２は支軸６を回転中心にして装置本体１に対して所定角度回動可能なように構成されている。そして、撮影時にビデオカメラ部２を回動させることにより光軸７を上下に振って、所望のアングルが得られるようになっている。
【００４２】
図１４，１５に示すように、カバー体３を押し込んだ状態では、ビデオカメラ部２の上面部（撮影レンズ４側）および背面部は、カバー体３の上面部および背面部によって覆われており、これによって撮影レンズ４の保護が図られている。つまり、本実施形態のカバー体３の上面部の長さは、前記した各実施形態のカバー体３の上面部よりも長いものに設定されており、装置全体の上面部の長さにほぼ見合うものとなっている。
【００４３】
また、カバー体３の上面部には切欠き３ａが設けられており、カバー体３を押し込んだ状態では、図１４，１５に示すように、切欠き３ａが装置本体１の上面部に設けたスピーカ８と合致する位置にあって、スピーカ８を露呈させ、カバー体３を引き出した状態では、図１６，１７に示すように、切欠き３ａが装置本体１の上面部に設けた録画ボタン１０と合致する位置にあって、録画ボタン１０を露呈させるようになっている。つまり、図１８の（ａ），（ｂ）に示すように、カバー体３を押し込んだ状態では、カバー体３は、再生時に必要なスピーカ８を露呈させると共に、再生時に不要な録画ボタン１０を覆い、また、カバー体３を引き出した状態では、カバー体３は、撮影時に必要な録画ボタン１０を露呈させると共に、撮影時に不要なスピーカ８を覆うようになっている。なお、本実施形態においては、図示していないが、前記電源スイッチ９は装置本体１の底面部に配設されている。
【００４４】
斯様な構成をとる本実施形態においては、撮影レンズ４の光軸７をビデオカメラ部２の長手方向と平行なものにしてあるので、撮影光学系の長さを十二分に確保できると共に、ビデオカメラ一体型記録再生装置の全体厚みを可及的に薄型化することができる。
【００４５】
図２０〜図２２は本発明の第５実施形態に係り、図２０はカバー体を押し込んだ状態のビデオカメラ一体型記録再生装置を断平面で示す説明図、図２１はカバー体を引き出した状態のビデオカメラ一体型記録再生装置を断平面で示す説明図、図２２はサブメモリ手段を装着している様子を示すビデオカメラ一体型記録再生装置の斜視図である。
【００４６】
本実施形態が前記第１実施形態と異なるのは、装置本体１内に設けた前記メモリ手段２１の他に、カバー体３内にもサブメモリ手段を設けた点にあり、図２０〜図２２において、３３がサブメモリ手段である。
【００４７】
カバー体３に内蔵されるサブメモリ手段３３は、例えば切手サイズメモリーカードや、名刺サイズのＩＣカードなどの半導体メモリが用いられ、サブメモリ手段３３はカバー体３に着脱自在であるように装着される。図２２はサブメモリ手段３３をカバー体３に装着している様子を示しており、サブメモリ手段３３は、カバー体３に設けた着脱口３ｂから、カバー体３内の装着部３ｃに装着される。そして、装着部３ｃに装着されたサブメモリ手段３３は、装置本体１内の回路部と適宜の接続手段を介して、カバー体３を押し込んだ状態でも引き出した状態でも常時接続される。
【００４８】
上記したサブメモリ手段３３は、装置本体１内に設けたメモリ手段２１の記録残量がなくなったときの補助メモリとして用いたり、あるいは、ユーザの指示によって、メモリ手段２１の所望録画データを転送して格納する記録媒体として用いることができる。
【００４９】
また、図２１に示した状態でメモリ手段２１に録画し、この状態から図２０の状態に移行したときに、今回の録画内容をメモリ手段２１からサブメモリ手段３３に自動的に転送するように、構成することも可能である。
【００５０】
また、サブメモリ手段３３に予め画像データ等を格納しておき、例えば、サブメモリ手段３３に格納されているタイトラーデータ等を呼び出して、これを撮影画像にオーバーラップさせた画像データを、メモリ手段２１に録画することも可能である。
【００５１】
斯様な構成をとる本実施形態においては、カバー体３にサブメモリ手段３３を設けたので、全体の記録容量を増大させることができる。しかも、複数のサブメモリ手段３３を携行すれば、より一層記録容量を増大させることができる。また、サブメモリ手段３３のみを取り出して、サブメモリ手段３３を外部機器（例えばパソコン）に接続するだけで、録画データの外部機器への転送が可能となるので、大いに利便性が高まる。また、サブメモリ手段３３に予め画像データ等を格納しておけば、種々の応用撮影等が可能となり、大いに利便性が高まる。
【００５２】
【発明の効果】
以上説明したように、本発明によれば、撮影レンズを覆う位置とこれを開放する位置との間をスライドするカバー体を具備した構成をとるビデオカメラ一体型記録再生装置において、カバー体のスライド動作を積極的に利用して、撮影用モードへの移行や、撮影用操作ボタンと再生用ボタンの切り換えが自動的に行え、かつ、コンパクト化および操作ミスの削減につながる操作ボタン配置をもつ、使い勝手のよいビデオカメラ一体型記録再生装置を提供することができる。
【図面の簡単な説明】
【図１】本発明の第１実施形態に係るビデオカメラ一体型記録再生装置の、カバー体を押し込んだ状態の正面側から見た斜視図である。
【図２】本発明の第１実施形態に係るビデオカメラ一体型記録再生装置の、カバー体を押し込んだ状態の背面側から見た斜視図である。
【図３】本発明の第１実施形態に係るビデオカメラ一体型記録再生装置の、カバー体を押し込んだ状態の底面側から見た斜視図である。
【図４】本発明の第１実施形態に係るビデオカメラ一体型記録再生装置の、カバー体を押し込んだ状態の断平面図である。
【図５】本発明の第１実施形態に係るビデオカメラ一体型記録再生装置の、カバー体を引き出した状態の正面側から見た斜視図である。
【図６】本発明の第１実施形態に係るビデオカメラ一体型記録再生装置の、カバー体を引き出した状態の背面側から見た斜視図である。
【図７】本発明の第１実施形態に係るビデオカメラ一体型記録再生装置における、ビデオカメラ部の回動の様子を示す説明図である。
【図８】本発明の第１実施形態に係るビデオカメラ一体型記録再生装置の機能ブロック図である。
【図９】撮影時の片手ホールド状態を、第１実施形態に係るビデオカメラ一体型記録再生装置と、カバー体のないものとで対比して示す説明図である。
【図１０】本発明の第１実施形態に係るビデオカメラ一体型記録再生装置を、ポケットに収納している様子を示す説明図である。
【図１１】本発明の第２実施形態に係るビデオカメラ一体型記録再生装置における、カバー体を引き出した状態のビデオカメラ部の背面図である。
【図１２】本発明の第３実施形態に係るビデオカメラ一体型記録再生装置の、カバー体を押し込んだ状態の正面図である。
【図１３】本発明の第３実施形態に係るビデオカメラ一体型記録再生装置の、カバー体を引き出した状態の正面図である。
【図１４】本発明の第４実施形態に係るビデオカメラ一体型記録再生装置の、カバー体を押し込んだ状態の正面側から見た斜視図である。
【図１５】本発明の第４実施形態に係るビデオカメラ一体型記録再生装置の、カバー体を押し込んだ状態の背面側から見た斜視図である。
【図１６】本発明の第４実施形態に係るビデオカメラ一体型記録再生装置の、カバー体を引き出した状態の正面側から見た斜視図である。
【図１７】本発明の第４実施形態に係るビデオカメラ一体型記録再生装置の、カバー体を引き出した状態の背面側から見た斜視図である。
【図１８】本発明の第４実施形態に係るビデオカメラ一体型記録再生装置の、カバー体を押し込んだ状態と引き出した状態を対比して示す平面図である。
【図１９】本発明の第４実施形態に係るビデオカメラ一体型記録再生装置における、ビデオカメラ部の回動の様子を示す説明図である。
【図２０】本発明の第５実施形態に係るビデオカメラ一体型記録再生装置の、カバー体を押し込んだ状態を断平面で示す説明図である。
【図２１】本発明の第５実施形態に係るビデオカメラ一体型記録再生装置の、カバー体を引き出した状態を断平面で示す説明図である。
【図２２】本発明の第５実施形態に係るビデオカメラ一体型記録再生装置において、サブメモリ手段を装着している様子を示す斜視図である。
【符号の説明】
１  ビデオカメラ一体型記録再生装置の装置本体
２  ビデオカメラ部
３  カバー体
４  撮影レンズ
５  マイク
６  支軸
７  撮影レンズの光軸
８  スピーカ
９  電源スイッチ
１０  録画ボタン
１１  画像表示手段
１２，１３  ズーム操作ボタン
１４  日付挿入モード設定ボタン
１５  録画モード設定ボタン
１６  再生ボタンヘッド
１７  早送りサーチボタンヘッド
１８  逆送りサーチボタンヘッド
１９  停止ボタンヘッド
２０  入出力端子部
２０ａ  外部入力端子
２０ｂ  外部出力端子
２１  メモリ手段
２２  バッテリー
２３  回路基板
２４  入力系画像／音声統合処理部
２５  システムコントローラ
２６  出力系画像／音声統合処理部
２７  位置センサ
２８  電源制御部
２９  入力操作部
３０  フラッシュ手段
３１  メニューボタン
３２  機能表示
３３  サブメモリ手段
【図１】
0003797712.tif 000002
【図２】
0003797712.tif 000003
【図３】
0003797712.tif 000004
【図４】
0003797712.tif 000005
【図５】
0003797712.tif 000006
【図６】
0003797712.tif 000007
【図７】
0003797712.tif 000008
【図８】
0003797712.tif 000009
【図９】
0003797712.tif 000010
【図１０】
0003797712.tif 000011
【図１１】
0003797712.tif 000012
【図１２】
0003797712.tif 000013
【図１３】
0003797712.tif 000014
【図１４】
0003797712.tif 000015
【図１５】
0003797712.tif 000016
【図１６】
0003797712.tif 000017
【図１７】
0003797712.tif 000018
【図１８】
0003797712.tif 000019
【図１９】
0003797712.tif 000020
【図２０】
0003797712.tif 000021
【図２１】
0003797712.tif 000022
【図２２】
0003797712.tif 000023